(57)【要約】【課題】本発明の目的は、上記の欠点がない、レンズ上にデータを書き込む方法を提供する。【解決手段】光学レンズ（１，２）上にデータを書き込む方法であって、ａ）データを含むソースイメージを記録するステップと、ｂ）計算して前記ソースイメージのホログラム（３）を生成するステップと、ｃ）レンズ上にホログラムを書き込むステップとを含み、前記ホログラムは、レンズの表面部分にある１５ｍｍ２〜０．５ｍｍ２の面積を占める方法である。【選択図】図１
2008523431.tif 000002
【特許請求の範囲】
【請求項１】
光学レンズ（１，２）上にデータを書き込む方法であって、
ａ）データを含むソースイメージを記録するステップと、
ｂ）計算して前記ソースイメージのホログラム（３）を生成するステップと、
ｃ）レンズ上にホログラムを書き込むステップとを含み、
前記ホログラムが、レンズの表面部分にある１５ｍｍ２〜０．５ｍｍ２の面積を占める方法。
【請求項２】
前記光学レンズ（１，２）が、眼科用レンズである、請求項１に記載の方法。
【請求項３】
前記データが、レンズの識別情報、又は、技術情報、配送情報、商用情報、医学情報、マーケティング情報に関連する、請求項１又は２に記載の方法。
【請求項４】
前記ホログラム（３）が、前記レンズ（１，２）の周縁の近くに書き込まれる、請求項１〜３のいずれか１項に記載の方法。
【請求項５】
前記ホログラム（３）が、切削される前記レンズ（１，２）の周縁の部分に書き込まれる、請求項４に記載の方法。
【請求項６】
前記ホログラム（３）が、バイナリーホログラムである、請求項１〜５のいずれか１項に記載の方法。
【請求項７】
前記ホログラム（３）が、前記レンズ（１，２）の複数の位置に書き込まれる、請求項１〜６のいずれか１項に記載の方法。
【請求項８】
書き込まれるホログラム（３）の各々が、直接読み込み可能な画像のピクセルを前記レンズ（１，２）上で構成する、請求項７に記載の方法。
【請求項９】
前記ソースイメージに含まれる前記データが、コード化形式である、請求項１〜８のいずれか１項に記載の方法。
【請求項１０】
前記ソースイメージが、データに対応するバーコードを含む、請求項９に記載の方法。
【請求項１１】
前記ステップ（ｃ）が、
−ＵＶ照射に対して透明なモールドを生成し、前記ホログラム（３）に対応する凸凹部でパターン化するステップと、
−前記レンズ（１，２）をＵＶ硬化液の層（６）で被覆するステップと、
−前記凸部間の凹部に液体を浸透させるために、前記層（６）上にモールドを塗布し、同時に、成形した液体を硬化するため、モールドを介して前記層上にＵＶ光ビームを照射するステップと、
−前記レンズから前記モールドを除去するステップとを含む、請求項１〜１０のいずれか１項に記載の方法。
【請求項１２】
前記ステップ（ｃ）が、
−前記ホログラムに対応する凸凹部でパターン化するステップと、
−前記レンズを熱硬化液の層で被覆するステップと、
−凸部間の凹部に液体を浸透させ、成形した液体を硬化させるため、熱源に対してモールドを介して前記層上を曝すステップ（ステップ４０）と、
−前記レンズから前記モールドを除去するステップとを含む、請求項１〜１０のいずれか１項に記載の方法。
【請求項１３】
前記硬化液の層（６）が、前記レンズ（１，２）の擬似球面に位置し、
前記モールドが、前記硬化液の層に塗布される際、前記レンズの擬似球面に適合するように変形させるのに十分柔軟である、請求項１１又は１２に記載の方法。
【請求項１４】
前記ステップ（ｃ）が、
−ホログラム（３）に対応する凸凹部でパターン化するステップと、
−第１の屈折用レンズ材（７）をモールドに注ぐステップとを含む、請求項１〜１０のいずれか１項に記載の方法。
【請求項１５】
前記ホログラム（３）を支持する前記レンズ（１，２）の部分が、第２の屈折材料（８）で被覆され、前記第１の屈折材料（７）及び第２の屈折材料（８）の屈折率がそれぞれ異なる、請求項１４に記載の方法。
【請求項１６】
ホログラム（３）の形で書き込まれるデータを含む光学レンズ（１，２）であって、前記ホログラムが、１５ｍｍ２〜０．５ｍｍ２の面積を持つレンズの表面部分を占める光学レンズ。
【請求項１７】
眼科用レンズとして使用するために設計される、請求項１６に記載のレンズ。
【請求項１８】
前記ホログラム（３）が、レーザー（１００）で照明される際、データを含む読み出し画像（１０５、１０６）を生成するために設計される、請求項１６又は１７に記載のレンズ。
【請求項１９】
前記データが、レンズの識別情報、又は、技術情報、配送情報、商用情報、医学情報、マーケティング情報に関連する、請求項１６〜１８のいずれか１項に記載のレンズ。
【請求項２０】
前記ホログラム（３）が、前記レンズ（１，２）の周縁の近くに書き込まれる、請求項１６〜１９のいずれか１項に記載のレンズ。
【請求項２１】
前記ホログラム（３）が、切削される前記レンズ（１，２）の周縁の部分に書き込まれる、請求項２０に記載のレンズ。
【請求項２２】
前記ホログラム（３）が、バイナリーホログラムである、請求項１６〜２１のいずれか１項に記載のレンズ。
【請求項２３】
前記ホログラム（３）が、前記レンズ（１，２）の複数の位置に書き込まれる、請求項１６〜２２のいずれか１項に記載のレンズ。
【請求項２４】
書き込まれるホログラム（３）の各々が、直接読み込み可能な画像のピクセルを前記レンズ（１，２）上で構成する、請求項２３に記載のレンズ。
【請求項２５】
前記ホログラム（３）が、照明される際、前記データを含む画像（１０５、１０６）を生成するために設計される、請求項１６〜２４のいずれか１項に記載のレンズ。
【請求項２６】
前記ホログラム（３）が、照明される際、前記データに対応するバーコードのイメージを生成するように設計される、請求項２５に記載のレンズ。
【発明の詳細な説明】
【技術分野】
【０００１】
本発明は、レンズ上のデータを書き込む方法及び書き込まれたデータを含む光学レンズに関する。
【背景技術】
【０００２】
光学レンズ上のホログラムの生成は、装飾用途において公知である。米国特許第５８９２６００号明細書及び独国出願公開特許第１９６４４６２０号明細書には、例えば、表面に近視野で再生可能なホログラムがあり、装飾機能を提供する光学レンズを開示し、独国特許出願公開第１９６４４６２０号明細書には、装飾機能が識別機能を合わせもつことが記載されている。国際公開第０１／２３９２１号パンフレットには、装飾機能を提供する表面に遠視野で再生可能な１組のホログラムがある光学レンズを開示している。
【０００３】
本発明の内容において、レンズ上にホログラムを書き込む目的は、光学レンズの使用用途を変更することなく、生産又は用途に関連するデータを記録することである。
【０００４】
光学レンズの使用を妨げずにデータをレンズに書き込むことは、困難である。その理由として、レンズが透明であり、光ビームがレンズを通過する際、レンズの片側の表面上に書き込まれるデータによって、影像が生成される可能性があることが挙げられる。かかる妨げを減少するために、小さな字又は微小な文字でさえデータを書き込むことができる。したがって、文字を読み込むために、拡大機器（例えば拡大鏡）を用いる必要がある。特に、何人かのユーザーが文字を同時に読み込むことができないため、かかる計器の使用は不便である。
【０００５】
現在、レンズに関する様々な項目の情報、例えば、製造番号又はシリアル番号、レンズの光学特性、レンズの構成材料、供給源又は流通経路、若しくは価格やこれら様々な特性に関するコードを表すことが、ますます必要になっている。
【０００６】
さらに、現在、眼科分野で、特に眼鏡を着用している人の屈折異常によって、注文生産された屈折補正用レンズを生成する頻度が多い。そこで、着用者の視界を補正するため、診断された屈折異常に合わせて細かく調整される。この場合、屈折補正用レンズ上に書くために有用なデータ量は多いと考えられる。さらにまた、データをレンズ上に書き込む方法は、医学的な秘匿要件に適合する必要がある。
【発明の開示】
【発明が解決しようとする課題】
【０００７】
したがって、本発明の目的は、上記の欠点がない、レンズ上にデータを書き込む方法を提案することである。
【課題を解決するための手段】
【０００８】
したがって、本発明は、光学レンズ上にデータを書き込む方法であって、
ａ）データを含むソースイメージを記録するステップと、
ｂ）計算によって前記ソースイメージのホログラムを生成するステップと、
ｃ）レンズ上にホログラムを書き込むステップとを含む方法を提供する。
【０００９】
このようにレンズ上に書き込まれるホログラムは、視野にとって一般的に不適当な回析領域となり、空間周波数の電磁波の透過、すなわち、レンズの当該部分の映像素子としての機能に影響を及ぼす。このため、本発明において、書き込まれるホログラムの面積は、０．５ｍｍ２〜１５ｍｍ２、好ましくは５ｍｍ２未満である。この面積の範囲は、レンズのユーザーへの妨げを最小限にし、特にホログラムをレンズの中央域から離れたところに選択的に配置できる。
【００１０】
用語「光学レンズ」は、特に眼科用レンズ及び光学機器用レンズをいう。用語「眼科用レンズ」は、眼を保護する及び／又は視界を補正するために、眼鏡型又はバイザー型のフレームに嵌合されるレンズをいい、これらのレンズが、無限焦点、一焦点、二焦点、三焦点及びプログレッシブレンズから選択される。かかるレンズは、透明レンズ又は着色レンズである。用語「着色レンズ」は、透過率が３％〜９０％のレンズをいう。透過率が９０％より大きいレンズは、透明なレンズであると考えられる。本発明において、眼科用レンズは、好ましくは、眼鏡フレームに嵌合される上記のレンズを意味する。
【００１１】
本発明によれば、データをホログラムの形でレンズ上に書き込むと、直接読み込むことができない。このようにして、秘匿要件は満たされる。
【００１２】
さらにまた、ホログラムは、少なくとも１つのコヒーレント光ビームをレンズ上又はレンズを通して照射することによって、ホログラムの位置で読み込むことができる。ホログラムを読み込むかかる操作は、周知である。この操作は単純であり、データはホログラムのソースイメージを再生する読み出し画像に出現する。読み出し画像は、レンズからの特定の距離に投影され、数人が同時にデータを読むことができるほど大きい。
【００１３】
好都合には、前記ホログラムは、レーザーで照明されると、データの読み出し画像を生成するように設計される。データの読み込みには、安価であり、かさばらないダイオードレーザペン等の標準モデルの小型レーザーを用いれば十分である。
【００１４】
好都合には、光学装置は、画像センサ（例えばＣＣＤ又はＣＭＯＳマトリクス）上に読み出し画像を投影するために、ダイオードレーザに接続させてもよい。センサがコンピュータに接続されているため、かかる構成によって読み出し画像を素早く読み込むことができ、画像に含まれるデータを自動抽出できる。
【００１５】
書き込み方法は、特にレンズの識別、技術情報、配送（ｌｏｇｉｓｔｉｃ）情報、マーケティング情報、医学情報に関連する任意の種類のデータに用いられる。
【００１６】
より正確には、ホログラムに含むデータは、限定されないが、着用者の詳細、処方者の詳細、業者の詳細、レンズの光学面を計算するのに有用な任意の技術データ及びレンズの製造に関する任意の技術データ、例えば、レンズの製造に用いる材料の性質及び製造日に関する。また、ホログラムに含むデータは、レンズを収容可能なフレームの任意の特性や、レンズを切削してフレームに嵌合するのに有用な任意のデータにも関する。更に、ホログラムに含むと考えられるデータは、レンズ摩耗条件（例えば眼とレンズ）との間の距離、更には選択的な使用等のレンズの使用条件に関する。更に、処方箋及びレンズの購入日付及びレンズ交換の望ましい日付等の商用データをホログラムに含めることができる。
【００１７】
特に、ホログラムに含むデータ密度は高くすることができ、ホログラムの照明によるデータの読み込みは困難とはならない。特に、１平方ミリメートル（１ｍｍ２）の面積を占めるホログラムには、データ再構成を十分に確実にするために、冗長的に数キロバイト書き込みできる。したがって、ホログラムは、レンズの極めて小さい表面部分を占め、レンズ上に書き込みできる。本発明において、ホログラムは、面積が１５ｍｍ２〜０．５ｍｍ２、好ましくは５ｍｍ２未満のレンズ表面の一部を占める。
【００１８】
好ましくは、ホログラムは、後者（レンズ）の周縁の近くのレンズ上に書き込みできる。こうして、レンズ使用中のホログラムによって生じる妨げが減少する。レンズがブランク（例えば眼科用レンズのブランク）である場合、ホログラムは、レンズの切削しようとする部分に書き込むことができる。したがって、ブランクには、例えば追跡目的又は配送管理（ｌｏｇｉｓｔｉｃ）目的のために、切削瞬間まで印が付けられており、これによってレンズ使用の妨げにはならない。
【００１９】
本発明の別の具体的な実施形態によれば、ソースイメージに含むデータは、コード化形式である。特に、ソースイメージは、データに対応するバーコードを含むことができる。更に、特に符号化アルゴリズムを用いるか、或いは、秘匿性を維持するソースイメージのデータを表すことによってレンズに書き込まれたデータへのアクセスを得るために、ある程度の秘匿性を導入することできる。
【００２０】
本発明は、ホログラムの形で書き込まれたデータを含み、光学レンズ、特に眼科用レンズにも関する。
【００２１】
かかるレンズは、レンズ上に様々な種類のデータを書き込むために、上記の方法を用いて生成できる。本発明の他の特徴と利点は、添付の図面を参照することによって、以下の限定しない例示的な実施形態の説明によって明らかになる。
【発明を実施するための最良の形態】
【００２２】
図を明瞭にするために、示した要素の寸法は、実寸に比例していない。異なる図での同じ参照番号は、同じ要素又は同じ機能を有する要素を表す。
【００２３】
図１によれば、光学レンズにデータを書き込む方法は、データを含むソースイメージを構成することによって開始する（ステップ１０）。フォトグラフィ、被印刷シートのスキャン等の画像を生成する極めて多くの種類の方法を用いることができる。好ましくは、ソースイメージは、例えばコンピュータを用いる計算によって生成される。画像は、ソースイメージのピクセルに割り当てた光値を表の形で記録される。したがって、ソースイメージ（例えば紙又は表示配列）の物理媒体は必要とされない。ソースイメージに含むデータは、並列した英数字、読み込むデータに対応するバーコード又は視覚表現データの他の手段であってよい。次に、ソースイメージのホログラムは、コンピュータで計算される（ステップ２０）。様々なプログラムが、ソースイメージからホログラムを生成するために、現在利用可能である。これらのプログラムの機能は、主にソースイメージ上のフーリエ変換を行うことである。マトリクス値の形で得られるホログラムは、通常、計算機創成ホログラムと呼ばれる。得られたホログラム（すなわち、振幅ホログラム又は位相ホログラム）の性質、更にはホログラムの画素密度の及びホログラムの各ピクセルに割り当て可能な振幅又は位相の数やレベルは、使用するプログラム及び／又はパラメータ設定に依存する。特に、バイナリーホログラムは、各ピクセルに割り当てる振幅を２進数に換算して計算できる。これらの２種類の振幅値は、バイナリ振幅ホログラムの０及び１、並びに、バイナリ位相ホログラムの−１及び＋１である。
【００２４】
コンピュータでホログラムを計算すると、読み出し画像のあらゆる歪みを最小限にするために、ホログラムが書き込まれる表面の曲率が考慮可能である。同様に、ホログラムをレンズに書き込む場合、特定の読み出し画像の再生状態を望ましいものにするため、ホログラムを書き込む位置のレンズの光学能を考慮できる。
【００２５】
次に、ホログラムは、レンズ上に書き込まれる。この書き込み操作は、様々な方法、特にレーザーエッチングで実施できる。この場合には、レーザー光線は、レンズの表面部分の並列領域をホログラムのピクセル振幅値に対応する照射パワーで走査する。各ピクセルのための照射パワーに応じて、レーザーは、レンズ表面の材料の一部を粉砕したり、粉砕しないようにする。こうして、ホログラムは、凸凹形でレンズ上に書き込まれる。あるいは、レンズ領域は金属フィルムで被覆してもよく、金属フィルムは、各ピクセルに対応する振幅値にしたがって、レーザー衝撃によって、書き込むホログラムのピクセルの位置で除去される。好ましくは、ホログラムに対応するパターンは、最初にモールド上に書き込まれる（ステップ３０）。バイナリーホログラムについて、ホログラムの各ピクセルに対応可能な振幅値は、モールドの表面の異なる２つの高さに対応し、これらの高さは、例えば１μｍに分離される。
【００２６】
本発明を実装する第１の方法によれば、レンズ上にホログラムへの書き込みは、
−ＵＶ照射のために透明なモールドを生成し、ホログラムに対応する凸凹部でパターン化するステップと、
−レンズをＵＶ硬化液の層で被覆するステップと、
−液体が凸部間の凹部に浸透するように、層上にモールドを塗布し（ステップ４０）、同時に、成形した液体を硬化させるため、モールドを介して層上にＵＶ光ビームを照射するステップと、
−レンズからモールドを除去するステップとを含む。
【００２７】
かかる書き込む方法は周知であり、一般に「ＵＶエンボス」又は「ＵＶモールド」と呼ばれる。モールドの適切な材料は、例えば、Ｄｏｗ  Ｃｏｒｎｉｎｇ社製の商品名Ｓｙｌｇａｒｄ（登録商標）１８４のシロキサン系エラストマーである。
【００２８】
さらにまた、エラストマーモールドは、特に擬似球面上にパターンを書き込むのに適している。
【００２９】
本発明を実装する第２の方法によれば、レンズ上にホログラムへの書き込みは、
−ホログラムに対応する凸凹部でパターン化するステップと、
−レンズを熱硬化液の層で被覆するステップと、
−凸部間の凹部に液体を浸透させ、成形した液体を硬化するため、熱源に対してモールドを介して層を曝すステップ（ステップ４０）と、
−レンズからモールドを除去するステップとを含む。
【００３０】
本発明において、「擬似球面」とは、連続した凹面又は凸面、すなわち、穴や段差のない面を意味する。一般的に、光学レンズの２つの面の少なくとも一方は擬似球面であり、レンズの厚さを変化させて、レンズに屈折力を付与する。無限焦点レンズ、単焦点レンズ、二重焦点レンズ、三重焦点レンズ、及びプログレッシブ眼科用レンズのすべてには、少なくとも１つの擬似球面がある。球面は、２つの垂直方向に沿った面の曲率半径が等しい擬似球面の特定の場合に相当する。以下において、「擬似球面」という表現は、球面という特定の場合を含むと解釈される。
【００３１】
擬似球面のレンズ面上にホログラムを書き込むために、ホログラムを書き込む領域全体を被覆するように、その領域に硬化液の層を塗布する。モールドは、硬化液の層に塗布される際、レンズの擬似球面に適合するように変形させるのに十分柔軟である必要がある。
【００３２】
この実現方法の欠点の１つは、レンズ上に書き込まれるホログラムが、汚れに直接曝されるという事実に起因する。ホログラムは、偶然的なレンズの表面の擦傷によって損傷を受ける場合がある。ホログラムの汚れ又は擦傷が読み出し画像の妨げになる場合、データ読み出しは困難となりうる。
【００３３】
本発明を実装する第２の方法によれば、レンズ上にホログラムへの書き込みは、
−ホログラムに対応する凸凹部でパターン化するステップ（ステップ３０）と、
−第１の屈折レンズ材をモールドに注ぐステップとを含む（ステップ４０）。
【００３４】
この場合では、ホログラムでパターン化されたモールドは、レンズを形成するために直接用いられる。したがって、ホログラムでパターン化されたモールドは、硬質材料から生成される必要がある。通常、レンズの第１の屈折材料は、ポリカーボネート系又はポリエチレン系等の有機物質である。
【００３５】
ホログラムを支持するレンズの部分は、第２の屈折材料で被覆され、前記第１及び第２の屈折材料の屈折率がそれぞれ異なる。また、第２の屈折材料は、有機物質であってよい。さらに、ホログラムは、２種類の屈折材料の境界面でレンズに書き込まれる。したがって、ホログラムは、レンズの偶然発生する擦傷によって劣化することはない。さらにまた、かかるレンズの構成ついて、読み出し画像のデータの可読性は、レンズの汚れによってわずかに影響を受ける。
【００３６】
図２ａと図２ｂの各々は、眼科用レンズのブランクを示す。公知のとおり、眼科用レンズ２はブランク１を切削して得られる。切削する輪郭は、図の破線で表される。ホログラム３は、切削する輪郭（図２ａ）内部、又は、輪郭（図２ｂ）の外側のブランク上へ書き込まれてもよい。レンズがフレームに嵌合した後、書き込まれたデータが必要でない場合、切削する輪郭の外側上への書き込みが適している。ホログラムは、例えば、配送（ｌｏｇｉｓｔｉｃ）データ又は商用データであってよい。逆に、データはレンズ上に永久に残るように、切削する輪郭の内部に医学データを書き込むことは有利であると考えられる。例えば、処方箋に関するレンズ適合検査は、このように組み立てた眼鏡で行ってもよい。
【００３７】
図３ａは、眼科用レンズ２上へ書き込まれるバイナリーホログラムの部分を示す。ホログラムは、ほぼ正方形の４００×４００ピクセルのマトリクスからなり、各ピクセルに１辺は、例えば１μｍである。したがって、ホログラムは、０．４ｍｍ×０．４ｍｍを占め、レンズを着用している人にとって妨げとならないほど十分小さい。視覚的には、ホログラム３は、小拡散した正方形として、白みがかかっているか、或いは、わずかに外観が反射している。この場合、各ピクセルが、振幅を割り当て可能な２つのレベル間のレンズ面の定義されたレベルに対応するのであれば、ホログラムは、凸凹部（４及び５）の並置として出現する。ホログラムの一般原理によれば、図３ａの凸部４及び凹部５に潜在する垂直配列は、ソースイメージには、垂直方向より水平方向で強調される構造があることを示す。この場合は、ソースイメージに含まれるデータは、水平配向性のバーコード形である。
【００３８】
図３ｂ及び３ｃは、上記のホログラム３を書き込む第１及び第２の方法の各々によるホログラム３の位置でのレンズ２の横断面である。図３ｂは、ＵＶエンボスで書き込む方法に関連し、図３ｃは、レンズの２種類の屈折材料構成の間の境界面で書き込まれるホログラムに関連する。図３ｂでは、符号６は硬化液体の層を意味し、図３ｃでは、参照７及び参照８は、レンズ２が製造される第１及び第２の屈折材料をそれぞれ意味する。
【００３９】
図４は、データ−読み出しステップを例示する。眼科用レンズ２には、コリメートレンズを含むことができる低出力レーザーペン１００で照明され、ホログラム３の位置で、ビームを例えば赤色で放射させる。公知のように、レーザー１００及びホログラム３の間の距離は重要でない。レーザー１００によって出力される光ビーム１０１は、ホログラム３によって回折され、レンズ２を通過した後に２つの二次ビーム１０２及び１０３に分離する。２つのビーム１０２及び１０３の各々は、レンズから離れた距離、例えば、２０ｃｍ〜５０ｃｍのところでソースイメージを再生する。次いで、再生されたソースイメージは、２つのビーム１０２又は１０３のうちの１つ経路に、スクリーンとして用いられる物体１０４を配置することによって出現する。使用する光がレーザーで出力されるため、再生されたソースイメージを出現させるスクリーンとして使用する物体は、任意の物体であってよい。再生されたソースイメージは、数センチメートルの辺を持つ正方形又は長方形である。したがって、再生されたソースイメージは、同時に数人が容易に読むことができる。コンピュータを使用して、画像を素早く認識したり、画像を分析してデータを抽出できるように、再生されたソースイメージを、ＣＣＤ型又はＣＭＯＳ型等の画像センサに好適に投影できる。図４では、２つのビーム１０２及び１０３の各々に対応する再生画像を、それぞれ１０５及び１０６で示している。それらは読み出し画像と呼ばれ、各々が、まず最初にソースイメージに含まれるバーコードを示す。画像１０５及び１０６は、回折（例えば＋１及び−１）の２つの反対の符号の次数に対応させることができるため、２つの画像１０５及び１０６は互いに逆転したものとなる。公知のように、ホログラム３が位相ホログラム型である場合、ホログラム３によるビーム１０１の回折によって生成される２つの読み出し画像のうちの一方が、他方より明るくなるように、各ピクセルを調節することができる。
【００４０】
本発明の改良において、ホログラムは、レンズ上のいくつかの位置で書き込まれる。レーザー１００によって生成される光ビーム１０１の横断面が１ｍｍ２程度であれば、書き込まれたホログラムのいくつかを、同時に照明することができる。したがって、書き込まれたホログラムの各々は、読み出し画像に関連するため、読み出し画像は、同時に照明される書き込まれたホログラムの数と実質的に比例して明るくなる。好都合には、レンズ上に書き込まれた数のホログラム３のうちいくつかは、互いに隣接している。したがって、読み出し画像のコントラストは改善される。任意に、書き込まれたホログラム３の各々は、直接読み込み可能な画像のピクセルをレンズ上に構成させることができる。図６及びその拡大図は、かかる改良例を示す。本願明細書の例では、眼科のブランク１の表面上に書き込まれたすべてのホログラム３によって、ミリメートルサイズの文字「ａ」を形成する。
【００４１】
したがって、本発明によるデータを書き込む方法は多くの効果あり、以下の記載から言及又は想起することができる。−方法は、光学レンズの透過性の要件に適合する。−方法は、眼科用レンズに特有の美的要件に適合する。−レンズ上に書き込まれるホログラムパターンは、標準の計算手段を用いて容易に計算できる。−いくつかの代替方法を用いて、レンズ上にホログラムを書き込むことができ、容易に実装できる。−レンズ上に書き込まれるデータは、簡単で、素早く、安価な方法で読み込むことができる。−書き込まれたデータを読み込むためにレンズの表面との接触を必要としないため、データを読み込むときに、レンズを傷つけるリスクは減少する。−レンズから直接読み込むことができないため、方法は書込まれたデータの秘匿要件に適合する。−任意のレンズ上に書き込みできるデータ量を多くすることができ、それによって、レンズ使用時の顕著な妨げにならない。−レンズ上に書き込まれるデータは、レンズの包装に書き込まれるデータに置き換えることができる。したがって、複数のレンズの各包装を変わったことが、容易に検出され、必要に応じて、その包装を正しいものにすることができるため、全く重要とはならない。
【００４２】
最後に、ソースイメージの明るい部分を、読み出し画像の明るいピクセル又は暗いピクセルのどちらで再生するかに依存して、読み出し画像をソースイメージをポジティブ又はネガティブにソースイメージに対応させるように、ホログラムをレンズに書き込むことができる。
【図面の簡単な説明】
【００４３】
【図１】本発明によるデータを書き込む方法のステップ図である。
【図２ａ】本発明によるデータを書き込む眼科用レンズのブランクを示す。
【図２ｂ】本発明によるデータを書き込む眼科用レンズのブランクを示す。
【図３ａ】本発明によるレンズ上に書き込まれるホログラムの拡大図である。
【図３ｂ】本発明によるレンズ上に書き込まれるホログラムの拡大図である。
【図３ｃ】本発明によるレンズ上に書き込まれるホログラムの拡大図である。
【図４】本発明による書き込まれたデータを読み出すステップを例示する。
【図５】本発明の改良においてデータが書き込まれた未加工のレンズを示す。
【図１】
2008523431.tif 000003
【図２ａ】
2008523431.tif 000004
【図２ｂ】
2008523431.tif 000005
【図３ａ】
2008523431.tif 000006
【図３ｂ】
2008523431.tif 000007
【図３ｃ】
2008523431.tif 000008
【図４】
2008523431.tif 000009
【図５】
2008523431.tif 000010
【国際調査報告】
2008523431.tif 000011
2008523431.tif 000012
2008523431.tif 000013
2008523431.tif 000014
2008523431.tif 000015
2008523431.tif 000016